(57)【要約】【課題】床構造の根太を省略するという近年の事情に鑑みてなされたものであり、大引きに直接取り付ける構造用合板に床暖房構造を具備してなる構造用合板一体型床暖房パネルを提供する。【解決手段】所定厚さを有する構造用合板２の表面にヒータ線３を敷設するヒータ線収納溝４を形成し、該構造用合板２の全体厚さからヒータ線収納溝４の深さを差し引いた残りの構造用合板２の厚さが、根太を省略し得る構造用合板２の最低厚さを有してなるものである。【選択図】図２
2009299990.tif 000002
【特許請求の範囲】
【請求項１】
所定厚さを有する構造用合板の表面にヒータ線を敷設するヒータ線収納溝を形成し、該構造用合板の全体厚さからヒータ線収納溝の深さを差し引いた残りの構造用合板の厚さが、根太を省略し得る構造用合板の最低厚さを有してなることを特徴とする構造用合板一体型床暖房パネル。
【請求項２】
構造用合板のヒータ線収納溝を形成した表側面に高伝熱性の金属薄板による伝熱板を固定し、該伝熱板の裏面に付設したヒータ線をヒータ線収納溝に収納するようにしたことを特徴とする請求項１記載の構造用合板一体型床暖房パネル。
【請求項３】
伝熱板はアルミニウム板よりなることを特徴とする請求項２記載の構造用合板一体型床暖房パネル。
【請求項４】
伝熱板の表面にセラミックスパウダーが塗布されていることを特徴とする請求項２又は３記載の構造用合板一体型床暖房パネル。
【請求項５】
ヒータ線は２本の導線の間に導電性カーボンと絶縁性の架橋性ポリマーを混成した発熱体を形成してなる自己過熱抑制ヒータであることを特徴とする請求項１、２、３又は４記載の構造用合板一体型床暖房パネル。
【請求項６】
構造用合板のヒータ線収納溝にヒータ線を保護する保護鞘が埋設されていることを特徴とする請求項１、２、３、４又は５記載の構造用合板一体型床暖房パネル。
【請求項７】
保護鞘はガルバニウム鋼板からなることを特徴とする請求項６記載の構造用合板一体型床暖房パネル。
【請求項８】
構造用合板の平面領域における隅部に、根太を省略し得る構造用合板の最低厚さを確保した状態で結線ボックスが埋め込まれたことを特徴とする請求項１、２、３、４、５、６又は７記載の構造用合板一体型床暖房パネル。
【請求項９】
構造用合板に設けられたヒータ線収納溝を避けた部位の伝熱板の表面に釘打ち部が表示されていることを特徴とする請求項１、２、３、４、５、６、７又は８記載の構造用合板一体型床暖房パネル。
【発明の詳細な説明】
【技術分野】
【０００１】
本発明は、床暖房を施す床構造において、根太を設けずに、大引きの上に直接取り付けることが可能な構造用合板一体型床暖房パネルに関する。
【背景技術】
【０００２】
従来から室内暖房システムとして実施されている電気方式の床暖房は、ニクロム線等のヒータ線を床仕上げ材の下部に設け、これに通電して発熱させることにより、床全体を昇温させるようにした構造を有する。このような床暖房に関する従来技術として、特許文献１を参照すると、この床構造は、大引の上に交差するように一定間隔で複数の根太を配設すると共に、その根太間に断熱材を配設した後、根太の上に捨貼合板を敷設し、その捨貼合板の上に床暖房パネルを敷設するようにしている。
【０００３】
ところが、近年になって、大引きの上に根太を設けず、大引きの上に直接、構造用合板を固定してなる床構造が実施されるようになっている。この構造用合板とは、構造耐力上主要な部分に用いる目的で作られた合板であり、日本農林規格（ＪＡＳ）によると、床下地に１２mm〜２８mmのものが用いられ、特に２４mmと２８mmのものは厚物構造用合板と呼ばれ、曲げに強いため、根太を省略することが可能とされている。従って、根太を省略する場合の構造用合板は、最低２４ｍｍの厚さが必要であり、上記の構造用合板の上に所定厚さの床暖房パネルを取り付けることによって床暖房を構成することとなる。
【特許文献１】特開２０００−２４０９６２号公報
【発明の開示】
【発明が解決しようとする課題】
【０００４】
本発明は、上記のように、床構造の根太を省略するという近年の事情に鑑みてなされたものであり、大引きに直接取り付ける構造用合板に床暖房構造を具備してなる構造用合板一体型床暖房パネルを提供することを目的とする。
【課題を解決するための手段】
【０００５】
上記の目的を達成するために、本発明における請求項１の構造用合板一体型床暖房パネルは、所定厚さを有する構造用合板の表面にヒータ線を敷設するヒータ線収納溝を形成し、該構造用合板の全体厚さからヒータ線収納溝の深さを差し引いた残りの構造用合板の厚さが、根太を省略し得る構造用合板の最低厚さを有してなることを特徴とする。
【０００６】
また、本発明における請求項２の構造用合板一体型床暖房パネルは、請求項１において、構造用合板のヒータ線収納溝を形成した表側面に高伝熱性の金属薄板による伝熱板を固定し、該伝熱板の裏面に付設したヒータ線をヒータ線収納溝に収納するようにしたことを特徴とする。
【０００７】
また、本発明における請求項３の構造用合板一体型床暖房パネルは、請求項２において、伝熱板はアルミニウム板よりなることを特徴とする。
【０００８】
また、本発明における請求項４の構造用合板一体型床暖房パネルは、請求項２又は３において、伝熱板の表面にセラミックスパウダーが塗布されていることを特徴とする。
【０００９】
また、本発明における請求項５の構造用合板一体型床暖房パネルは、請求項１、２、３又は４において、ヒータ線は２本の導線の間に導電性カーボンと絶縁性の架橋性ポリマーを混成した発熱体を形成してなる自己過熱抑制ヒータであることを特徴とする。
【００１０】
また、本発明における請求項６の構造用合板一体型床暖房パネルは、請求項１、２、３、４又は５において、構造用合板のヒータ線収納溝にヒータ線を保護する保護鞘が埋設されていることを特徴とする。
【００１１】
また、本発明における請求項７の構造用合板一体型床暖房パネルは、請求項１、２、３、４又は５において、保護鞘はガルバニウム鋼板からなることを特徴とする。
【００１２】
また、本発明における請求項８の構造用合板一体型床暖房パネルは、請求項１、２、３、４、５、６又は７において、構造用合板の平面領域における隅部に、根太を省略し得る構造用合板の最低厚さを確保した状態で結線ボックスが埋め込まれたことを特徴とする。
【００１３】
さらに、本発明における請求項９の構造用合板一体型床暖房パネルは、請求項１、２、３、４、５、６、７又は８において、構造用合板に設けられたヒータ線収納溝を避けた部位の伝熱板の表面に釘打ち部が表示されていることを特徴とする。
【発明の効果】
【００１４】
本発明の構造用合板一体型床暖房パネルは、所定厚さを有する構造用合板の表面にヒータ線を敷設するヒータ線収納溝を形成し、該構造用合板の全体厚さからヒータ線収納溝の深さを差し引いた残りの構造用合板の厚さが、根太を省略し得る構造用合板の最低厚さを有してなるため、本発明による床暖房パネルを大引きの上に直接固定する施工によって、根太を省略した床構造にすると共に、構造用合板の取付けと同時に床暖房の施工が遂行されることとなり、床暖房の施工が非常に簡易に行なわれることとなる。
【００１５】
また、このような床暖房パネルにおいて、床暖房パネルの表面側に高伝熱性の金属薄板による伝熱板が敷設され、該伝熱板の裏面に所定間隔をあけてヒータ線が付着された構成により、ヒータ線の熱が伝熱板に伝達され、伝熱板全体が加温される構造によって、ヒータ線によるケーブル方式の床暖房パネルが実現可能となる。
【００１６】
また、伝熱板の裏面に夫々のヒータ線を空気層を介して収納する保護鞘が固定された構成により、ヒータ線に熱膨張及び収縮の自由度が与えられるため、ヒータ線の耐久性や安全性を維持することが可能となる。
【００１７】
また、ヒータ線を収納する保護鞘が、ガルバニウム鋼板から形成されているため、ガルバニウム鋼板の有する電磁波防止特性によって、ヒータ線から発せられる電磁波をシールすることが可能となる。
【００１８】
さらに、伝熱板の表面に塗布したセラミックスパウダーは、遠赤外線を放射する特性を有し、この遠赤外線の効果によって室内の温度上昇を効率的に行なうことが可能となる。
【００１９】
さらにまた、構造用合板に設けられたヒータ線収納溝を避けた部位の伝熱板の表面に釘打ち部が表示されていることにより、大引きに対する取付け施工の際に、釘打ち可能な部分を容易に判別することが可能となる。
【発明を実施するための最良の形態】
【００２０】
以下、本発明の実施例について図面を参照しながら説明する。
【実施例１】
【００２１】
本発明による構造用合板一体型床暖房パネル（以下、「床暖房パネル１」と略称する）は、所定厚さを有する構造用合板２の表面にヒータ線３を敷設するヒータ線収納溝４を形成し、該構造用合板２の全体厚さからヒータ線収納溝４の深さを差し引いた残りの構造用合板２の厚さが、根太を省略し得る構造用合板２の最低厚さを有してなる構成としたものである。従って、図１又は図３に示すように、本発明による床暖房パネル１を大引き５の上に直接固定することが可能となる。なお、図３において、ヒータ線収納溝４をアルミニウム板等の伝熱板９で覆い隠し、この伝熱板９の上面に不図示の仕上げ材を設けることによって、仕上げ材を介して、ヒータ線３の熱が上方へ伝達される。
【００２２】
上記の床暖房パネル１について詳細に述べる。日本農林規格（ＪＡＳ）の規定によると、根太を省略し得る構造用合板２は、最低２４ｍｍの厚さが必要であり、ヒータ線収納溝４の深さを４ｍｍとすると、本実施例の床暖房パネル１の合計厚さは、最低２８ｍｍが必要となる。従って、本実施例の床暖房パネル１は、図２に示すように、厚さＴ＝２８ｍｍの構造用合板２の表面に、深さＤ＝４ｍｍのヒータ線収納溝４を形成した構成としている。
【００２３】
なお、本実施例の床暖房パネル１の平面構造は、図５に示すように、横幅×縦長さ＝三尺（約９０ｃｍ)×六尺（約１８０ｃｍ)等の長方形の他、現場の状況に応じて自由に設定することが可能である。この図５に示す床暖房パネル１は、表面に所定間隔をあけて複数本のヒータ線収納溝４を形成すると共に、夫々のヒータ線収納溝４の端部を互いに結合する連結収納溝６を形成し、さらにこの構造用合板２の両端に結線ボックス７、７を取り付けるための凹溝１３を形成し、各ヒータ線３はコネクタ８によって隣設するヒータ線３と連結するようにしている。
【００２４】
ヒータ線３は、図２又は図４に示すように、２本の導線３ａ、３ｂの間に導電性カーボンと絶縁性の架橋性ポリマーを混成した発熱体３ｃを形成し、その全周にフッ素系樹脂で絶縁被覆３ｄを施した構成により、ヒータ線３の全長にわたって並列的電気回路が形成されている。
【００２５】
上記の構造により、発熱体３ｃが冷めた状態では、導電性カーボンの結合が密で抵抗値が小さく電流が流れやすい状態となるが、発熱体３ｃが昇温するに従って、架橋性ポリマーが膨張を始め、導電性カーボンの結合が粗くなって抵抗値が増えるため、電流が流れ難くなり、昇温が抑えられ、消費電力も低下する。このようにヒータ線３が、２本の導線３ａ、３ｂの間に導電性カーボンと絶縁性の架橋性ポリマーを混成した発熱体３ｃを成形してなる自己過熱抑制ヒータであるため、温度の高低によってヒータ線３が自ら温度制御をすることにより、従来の故障しやすいサーモスタットや感温ヒューズ等の必要もなく、また、折り曲げたり重ねたりしても断線や異常加熱等が生じるおそれもなく、優れた安全性と耐久性を発揮することが可能となる。
【実施例２】
【００２６】
図３又は図４に示す本実施例の床暖房パネル１は、実施例１の構造用合板一体型床暖房パネルを基本構造とし、この構造用合板２の表面に伝熱板９を固定すると共に、伝熱板９の裏面に付設したヒータ線３をヒータ線収納溝４に収納した構成を有するものである。この平面構造としては、図５に示す床暖房パネル１の表面に伝熱板９を固定した構造となるものであり、図５は伝熱板９を取り除いた状態である。なお、図３において、床暖房パネル１の上面に不図示の仕上げ材を設けることによって、伝熱板９を覆い隠し、仕上げ材を介して、伝熱板９に均等に伝達されたヒータ線３の熱が上方へ伝達される。
【００２７】
この伝熱板９としては、約0.5mm厚さのアルミニウム板を使用することにより、伝熱板９の裏面に付設したヒータ線３の熱伝達を効率よく行なうことができ、伝熱板９全体を均等に昇温することが可能となる。
【００２８】
また、伝熱板９を構成するアルミニウム板の特性によって、ヒータ線３からの電磁波を防止する電磁シールドを構成すると共に、床上からの水分がヒータ線３側に浸透するのを防止する防水シートとして機能する。さらに、伝熱板９にアース線を接続することにより、仮にヒータ線３が漏電するようなことがあっても、伝熱板９がアースの役割をすることによって感電を回避することが可能となる。
【００２９】
また、伝熱板９の表面にセラミックスパウダー１０を塗布した構成とすることも可能である。このセラミックスパウダー１０は遠赤外線を放射する特性を有し、しかもその波長は人体に非常に吸収されやすい８〜１４ミクロンであって、この遠赤外線の効果によってフローリングの熱伝導と室内の温度上昇を効率的に行なうことが可能となる。
【００３０】
さらに、本実施例において、構造用合板２のヒータ線収納溝４にヒータ線３を保護する保護鞘１１を埋設することも可能である。この保護鞘１１をガルバニウム鋼板によって構成すると、ガルバニウム鋼板の有する電磁波防止特性によって、ヒータ線３から発せられる電磁波をシールすることが可能となる。また、保護鞘１１の内部において、ヒータ線３が空気層を介して収納されていることにより、ヒータ線３に熱膨張及び収縮の自由度が与えられるため、ヒータ線３の耐久性や安全性を維持することが可能となる。
【００３１】
さらに、本実施例においては、図３に示すように、伝熱板９のセラミックスパウダー１０の表面にヒータ線収納溝４の配設位置を避けた箇所に釘打ち部１２が表示され、この釘打ち部１２によって、釘打ちやネジ込み位置を明瞭に判別することができ、ヒータ線３を損傷することなく、床暖房パネル１を大引き５へ固定することが可能となる。
【００３２】
また、本実施例の床暖房パネル１には、図５に示すように、床暖房パネル１の平面領域における両側の隅部に結線ボックス７が埋め込まれ、結線ボックス７にヒータ線３が導き出された構成とすることができる。
【００３３】
この結線ボックス７は、図６に示すように、伝熱板９の所定箇所を矩形に切開した切開溝１３に埋め込まれると共に、結線ボックス７の上方を閉塞する蓋部１４が設けられ、蓋部１４の側部に設けられた２片の突出片１４ａ、１４ａを結線ボックス７の側部に設けられた二箇所の穴部７ａ、７ａに引っ掛けて閉じ、さらに蓋部１４の凸状矩形部１４ｂの両側に形成された下向き片１４ｃ、１４ｃを切開部１５に押し下げることによって、該蓋部１４を図７（ａ）に示すように固定可能としている。
【００３４】
さらに、図７（ｂ）に示ように、並設した床暖房パネル１、１の夫々の結線ボックス７、７には、互いに対向する開口部１５、１５が形成され、夫々の結線ボックス７、７において、ヒータ線３の２本の導線３ａ、３ｂを隣設の結線ボックス７の導線３ａ、３ｂとコネクター１９で結線すると共に、夫々の伝熱板９、９のアース端子１７、１７に接続されたアース線１６、１６をコネクタ１９で接続する。
【００３５】
なお、不図示であるが、暖房パネル１に形成した切開溝１３に結線ボックス７を設けることなく、各切開溝１３内で、一方の床暖房パネル１のヒータ線３の２本の導線３ａ、３ｂを隣設する他方の床暖房パネル１の導線３ａ、３ｂとコネクター１９、１９で結線すると共に、アース線１６、１６をコネクタ１９で接続するようにしてもよい。
【産業上の利用可能性】
【００３６】
本発明の構造用合板一体型床暖房パネルは、根太を省略して構造用合板を付設するようにした床構造に、床暖房のヒータ線を施工する際に極めて利便となる構造用合板一体型床暖房パネルとして利用することが可能である。
【図面の簡単な説明】
【００３７】
【図１】本発明による実施例１の構造用合板一体型床暖房パネルを大引きの上に固定した状況を示す部分断面斜視図である。
【図２】本発明による実施例１の構造用合板一体型床暖房パネルの部分断面図である。
【図３】本発明による実施例２の構造用合板一体型床暖房パネルを大引きの上に固定した状況を示す部分断面斜視図である。
【図４】本発明による実施例２の構造用合板一体型床暖房パネルの部分断面図である。
【図５】本発明による実施例１の床暖房パネルの平面図、又は実施例２の床暖房パネルから伝熱板を除去した平面図である。
【図６】本発明による床暖房パネルの結線ボックスと蓋部の平面図である。
【図７】(ａ)は本発明による床暖房パネルの結線ボックスに蓋部をした状況を示す斜視図であり、(ｂ)は隣設する結線ボックス同士の結線状況を示す斜視図である。
【符号の説明】
【００３８】
１  床暖房パネル
２  構造用合板
３  ヒータ線
３ａ、３ｂ  導線
３ｃ  発熱体
３ｄ  絶縁被覆
４  ヒータ線収納溝
５  大引き
６  連結収納溝
７  結線ボックス
７ａ  穴部
８  コネクタ
９  伝熱板
１０  セラミックスパウダー
１１  保護鞘
１２  釘打ち部
１３  切開溝
１４  蓋部
１４ａ  突出片
１４ｂ  凸状矩形部
１４ｃ  下向き片
１４ｄ  差込部
１５  開口部
１６  アース線
１７  アース端子
１８  コネクタ
【図１】
2009299990.tif 000003
【図２】
2009299990.tif 000004
【図３】
2009299990.tif 000005
【図４】
2009299990.tif 000006
【図５】
2009299990.tif 000007
【図６】
2009299990.tif 000008
【図７】
2009299990.tif 000009